(57)【要約】【課題】撮像装置に対して回転可能な表示部に、手書き入力のために画像やその他情報を適切に表示することが可能な表示制御技術を実現する。【解決手段】撮像装置は、表示面の向きが変更可能なように可動部を介して装置に接続された表示手段と、表示手段の回転位置を検出する検出手段と、検出された回転位置と閾値との比較に基づいて表示面に表示する情報の向きを変更する表示制御手段とを有する。表示制御手段は、表示面への手書き入力が可能なモードである場合の回転位置の閾値である第１の閾値を、他のモードの場合の回転位置の閾値である第２の閾値と異ならせて表示制御を行う。【選択図】図７
2015204568.tif 000002
【特許請求の範囲】
【請求項１】
表示面の向きが変更可能なように可動部を介して装置に接続された表示手段と、
前記表示手段の回転位置を検出する検出手段と、
前記検出された回転位置と閾値との比較に基づいて前記表示面に表示する情報の向きを変更する表示制御手段と、を有し、
前記表示制御手段は、前記表示面への手書き入力が可能なモードである場合の前記回転位置の閾値である第１の閾値を、他のモードの場合の前記回転位置の閾値である第２の閾値と異ならせることを特徴とする撮像装置。
【請求項２】
前記第１の閾値における前記撮像装置の底面に垂直な面と前記表示面とのなす角度は、前記第２の閾値における前記撮像装置の底面に垂直な面と前記表示面とのなす角度よりも小さい値となるように設定することを特徴とした請求項１に記載の撮像装置。
【請求項３】
前記表示手段は、光軸と直交する第１軸および第２軸まわりに回転可能であり、
前記第１軸は、前記撮像装置を水平な状態とした場合に前記表示手段を横方向に開閉する軸、前記第２軸は前記表示手段を前後方向に回転する軸とし、
前記表示制御手段は、前記表示手段の前記第２軸まわりの回転位置が、前記表示手段を最初に開いた状態から前記第１の閾値で表される第１の角度を超えない範囲までは前記変更を行わないことを特徴とする請求項１に記載の撮像装置。
【請求項４】
前記表示制御手段は、前記手書き入力が可能なモードでは、前記表示手段の前記第２軸まわりの回転位置が、少なくとも前記第１の角度から前記第２の閾値で表される第２の角度までは前記変更を行うことを特徴とする請求項３に記載の撮像装置。
【請求項５】
前記表示制御手段は、前記他のモードでは、前記表示手段の前記第２軸まわりの回転位置が、前記第２の閾値で表される第２の角度を超えない範囲までは前記変更を行わないことを特徴とする請求項３または請求項４に記載の撮像装置。
【請求項６】
前記検出手段は、前記第１の角度を検出する第１の検出手段と、前記第２の角度を検出する第２の検出手段を有することを特徴とする請求項４または請求項５に記載の撮像装置。
【請求項７】
前記検出手段は、前記表示手段の回転に伴う磁界の変化を検出することで前記第１の角度および前記第２の角度を検出することを特徴とする請求項４または請求項５に記載の撮像装置。
【請求項８】
前記表示手段の前記変更を禁止する設定を行う禁止手段をさらに有し、
前記表示制御手段は、前記禁止手段が前記変更を禁止するように設定されている場合、前記表示手段の前記第２軸まわりの回転位置が前記第１の角度を超える場合であっても前記変更を行わないことを特徴とする請求項３乃至７のいずれか１項に記載の撮像装置。
【請求項９】
ユーザが前記第１の角度を設定する設定手段をさらに有することを特徴とする請求項３乃至８のいずれか１項に記載の撮像装置。
【請求項１０】
前記表示制御手段は、前記表示面に表示する情報の向きを上下反転またはさらに鏡面反転させることを特徴とする請求項１乃至９のいずれか１項に記載の撮像装置。
【請求項１１】
前記撮像装置の姿勢を所定の状態に支持する支持部を更に有することを特徴とする請求項１乃至１０のいずれか１項に記載の撮像装置。
【請求項１２】
表示面の向きが変更可能なように可動部を介して装置に接続された表示手段を有する撮像装置の制御方法であって、
検出手段が、前記表示手段の回転位置を検出する検出工程と、
表示制御手段が、前記検出された回転位置と閾値との比較に基づいて前記表示面に表示する情報の向きを変更する表示制御工程と、を有し、
前記表示制御手段は、前記表示制御工程において、前記表示面への手書き入力が可能なモードである場合の前記回転位置の閾値である第１の閾値を、他のモードの場合の前記回転位置の閾値である第２の閾値と異ならせることを特徴とする撮像装置の制御方法。
【請求項１３】
コンピュータを、請求項１乃至１１のいずれか１項に記載の撮像装置の各手段として機能させるためのプログラム。
【発明の詳細な説明】
【技術分野】
【０００１】
本発明は、撮像装置およびその制御方法ならびにプログラムに関し、特に撮像装置に対して回転可能な表示部における表示を制御する技術に関する。
【背景技術】
【０００２】
近年、ユーザが指や電子ペン等を用いてタッチパネルを有する表示パネル上の位置を指示することにより、表示パネル上に手書きの文字や図形を描画できる情報入力装置が開発されている。このような情報入力装置は、表示パネルに表示されている様々なボタンやメニューを直接指示できるため、キーボードのカーソルキーやマウスよりも入力操作を素早くかつ簡単に行うこともできる。
【０００３】
このような利点から、上述した情報入力装置は、ビデオカメラなどの撮像装置にも採用され、電子ペンなどで手書き入力された文字や図形などの情報を撮影画像と合成して記録するための手書きモードなどに用いられる。
【０００４】
ここで、ビデオカメラの表示パネルは、表示面を撮影者側に向けて撮影する通常撮影の場合と被写体側に向けて対面撮影する場合とでユーザが任意に回転させることが可能である。特許文献１には、対面撮影する場合において、上下左右反転した状態の表示パネルに手書き入力した情報が適切に記録されるように、手書き入力に対する水平走査順を制御する技術が開示されている。
【先行技術文献】
【特許文献】
【０００５】
【特許文献１】特開２０００−４１１６９号公報
【発明の概要】
【発明が解決しようとする課題】
【０００６】
一般的なビデオカメラは、ユーザが右手で撮像装置を保持し、表示パネルをカメラ本体に対して左手側に開いた状態で撮影を行う。このような表示パネルでは、ユーザが右利きの場合、電子ペンで手書き入力を行うことは右手がカメラ本体に当たり容易ではない。一方、表示パネルを被写体側に回転させると右手がカメラ本体に当たることはなくなるが、カメラ本体を左手で保持するため不安定となる。また、カメラ本体を安定させるために平らな面上に設置すると表示パネルの表示面が設置面に対して略垂直になり電子ペンが当て難くなる。なお、表示パネルに電子ペンを当て易くするための工夫として、被写体側に回転させた表示パネルをカメラ本体に反転して収納する方法があるが、カメラは外形に曲面部分が多いため、平らな面上に設置しても安定しないことが多いと想定される。
【０００７】
本発明は、上記課題に鑑みてなされ、その目的は、撮像装置に対して回転可能な表示部に、手書き入力のために画像やその他情報を適切に表示することが可能な表示制御技術を実現することである。
【課題を解決するための手段】
【０００８】
この課題を解決するため、例えば本発明の撮像装置は以下の構成を備える。すなわち、表示面の向きが変更可能なように可動部を介して装置に接続された表示手段と、表示手段の回転位置を検出する検出手段と、検出された回転位置と閾値との比較に基づいて表示面に表示する情報の向きを変更する表示制御手段と、を有し、表示制御手段は、表示面への手書き入力が可能なモードである場合の回転位置の閾値である第１の閾値を、他のモードの場合の回転位置の閾値である第２の閾値と異ならせることを特徴とする。
【発明の効果】
【０００９】
本発明によれば、撮像装置に対して回転可能な表示部に、手書き入力のために画像やその他情報を適切に表示することが可能になる。
【図面の簡単な説明】
【００１０】
【図１】本発明に係る実施形態のビデオカメラの外観図
【図２】実施形態１のビデオカメラの内部構成を示すブロック図
【図３】実施形態１のヒンジ内部のスイッチの構成図
【図４】実施形態１の通常モード時の閾値となる角度および手書きモード時の閾値となる角度を示す図
【図５】実施形態１のスイッチの回路図
【図６】実施形態１の通常モードと手書きモードにおいて検出する回転角度の範囲を示す図
【図７】表示画像の反転処理の一連の動作を示すフローチャート
【図８】実施形態２のビデオカメラの外観図
【図９】実施形態２のビデオカメラの内部構成を示すブロック図
【図１０】実施形態２における表示部の回転角度とホール素子で検出した磁力の関係を概念的に示す図
【図１１】実施形態３のビデオカメラの外観図
【図１２】実施形態４のビデオカメラの外観図
【図１３】実施形態４のビデオカメラの内部構成を示すブロック図
【図１４】実施形態４の回転角度検出を用いた表示画像の反転処理の一連の動作を示すフローチャート
【発明を実施するための形態】
【００１１】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１２】
（実施形態１）
以下、本発明の撮像装置を、例えば、静止画や動画を撮影するビデオカメラなどの撮像装置に適用した実施形態について説明する。
【００１３】
（１  ビデオカメラ１００の構成）
図１および図２を参照して、本発明に係る実施形態の撮像装置の構成及び機能の概略について説明する。図１は、実施形態１のビデオカメラ１００の外観を示している。
【００１４】
表示部１０２は、表示面の向きが変更可能であり、例えば、ビデオカメラ本体１０１に回転可能に接続されたＬＣＤパネルや有機ＥＬパネルである。表示部１０２は、ヒンジ部１０３によりカメラ本体と可動部を介し、かつ電気的に接続され、ヒンジ部１０３は表示部１０２を光軸と直交する２つの軸（ｘ方向およびｙ方向）まわりに回転可能に保持している。表示部１０２はビデオカメラ本体１０１を水平な状態とした場合にｘ方向の軸を回転軸に横方向（矢印Ａ方向）に開閉自在であり、またｙ方向の軸を回転軸として前後方向（矢印Ｂ方向）に回転自在である。表示部１０２は、表示面を撮影者側に向けて撮影する通常撮影の場合、光軸と平行なｚ軸に沿って撮影者側（−ｚ方向）の向きに向けられ、表示面を被写体側に向ける対面撮影では、光軸と平行な軸の被写体側（ｚ方向）の向きに向けられる。表示部１０２は、制御部２０５の指示に応じて撮像されたライブビュー動画や画像、操作用のメニュー等を表示する。さらに、表示部１０２は例えば電磁誘導方式あるいは静電容量方式等のタッチパネルを備えており、指または電子ペンによりパネル上に任意の文字や図形などを描画できるように構成されている。光学系１０４はズームレンズやフォーカスレンズを含む撮影レンズであり、絞りなどを含む。
【００１５】
操作部１０５はスイッチやボタン、タッチパネルなどからなり、録画の開始および停止を指示する録画ボタンを含む。操作部１０５に含まれるタッチパネルは、ユーザによる操作を検出するとパネル上の位置等の情報を制御部２０５に通知する。制御部２０５は検出されたパネル上の位置やその操作内容に応じて各機能ブロックを制御する。制御部２０５は、例えば手書きモードにおいて、タッチパネル２０９から入力された指や電子ペンの軌跡を検出するとビデオ信号処理部２０４に対して検出した軌跡を表示データとして重畳させて表示部１０２に表示させる。
【００１６】
モード切替スイッチ１０６は、カメラの動作モードを切り替えるスイッチであり、動作モードには静止画記録モード、動画記録モード、再生モード等があり、ユーザはモード切替スイッチ１０６を操作して各モードを切り替える。ユーザはモード切替スイッチ１０６を操作することで、これらのモード時にさらに、タッチパネルを介して表示面上に手書き入力を行える手書きモードが選択できる。以下では手書きモード以外のモードを通常モードと呼ぶ。
【００１７】
図２は、本実施形態のビデオカメラ１００の内部構成を示している。
【００１８】
撮像素子２０１は被写体の光学像を電気信号に変換するＣＣＤやＣＭＯＳ等で構成されている。カメラ信号処理部２０２は、撮像素子２０１から出力される映像信号についてカメラ信号処理部２０２においてＡ／Ｄ変換や画素補間、補正処理等の所定の信号処理を施し、動画データとして出力する。
【００１９】
ビデオ信号処理部２０４は入力された動画データに対してフレームレートに応じた処理やメニュー画面等の重畳処理等を行い表示制御部２０６に表示用の動画データを出力する。操作部１０５の録画ボタンが押されている場合、ビデオ信号処理部２０４は予め定められた形式で動画データを圧縮処理して装填された記録媒体２０３に記録する。また、記録媒体２０３に記録された動画データや画像データを読み出して伸長処理を施し、表示部１０２に表示させるために表示制御部に出力する。なお、本発明と直接関係しないため説明を省略するが、実際には、動画に加えて音声についても取得、記録を行う。音声データは例えばマイクを用いて取得し、ビデオ信号処理部２０４が所定の方式で圧縮符号化することができる。
【００２０】
記録媒体２０３は、撮影された動画を記録するためのメモリカード等の記録媒体であり、半導体メモリや磁気ディスク等から構成される。
【００２１】
制御部２０５は、ＣＰＵ、ＲＯＭ、ＲＡＭなどを備え、ＣＰＵがＲＯＭに格納されたプログラムをＲＡＭの作業エリアに展開し、実行することにより、ビデオカメラ１００の全体の動作を制御する。また、制御部２０５は、ＲＯＭに記憶されたプログラムを実行することで、後述する本実施形態の各処理を実現する。ＲＡＭは、制御部２０５の動作用の定数、変数、ＲＯＭから読み出したプログラム等を展開する。また、制御部２０５は、表示部１０２に対する表示のＯＮ／ＯＦＦや表示部１０２に表示する動画データや画像データ（以下、表示画像）の情報の向き等を制御する。
【００２２】
表示制御部２０６は、制御部２０５からの制御によりビデオ信号処理部２０４から入力される表示画像を表示部１０２に表示させるよう制御する。
【００２３】
第１回転検出スイッチ２０８および第２回転検出スイッチ２０７は、表示部１０２の回転位置が所定の基準位置からそれぞれ所定の値となったかを検出するためのスイッチである。なお、以降の説明では、表示部１０２の回転位置として回転角度を検出するものとして説明する。第１回転検出スイッチ２０８は、手書きモードに対する表示部１０２の回転角度を検出するスイッチであり、第２回転検出スイッチ２０７は、通常モードに対する表示部１０２の回転角度を検出するスイッチである。モード切替スイッチ１０６において通常モードが選択されている場合、制御部２０５は、第２回転検出スイッチ２０７の出力に基づいて表示部１０２の回転角度を判定し、表示部１０２に表示する表示画像の情報の向きを変更する。即ち、表示画像は反転処理によって、上下反転あるいは上下反転に加えて鏡面反転（左右反転）される。手書きモードが選択されている場合も同様に、制御部２０５は、第１回転検出スイッチ２０８の出力に基づいて表示部１０２の回転角度を判定し、表示させる表示画像の反転処理を行う。手書きモードでは、表示画像は上下反転されて表示されるようにするが、用途に応じて鏡面反転をさらに行っても構わない。
【００２４】
（２  表示画像を反転処理するための詳細な構成）
図３は、実施形態１に使用されるヒンジ部１０３内部のスイッチ部分の構成を示す図である。図３（ａ）は図１のヒンジ部１０３をｘｚ平面で切断した場合の断面の略図であり、図３（ｂ）は図１の‐ｘ（マイナスｘ）の方向から見た拡大図である。ヒンジ部１０３には、第２回転検出スイッチ２０７と第１回転検出スイッチ２０８が内蔵されている。第２回転検出スイッチ２０７は、表示部１０２が回転すると通常モード用スイッチ３０１が物理的に押しつぶされて、通常モード時の回転角度に達するとＯＮ状態となる。同様に、第１回転検出スイッチ２０８は、表示部１０２の回転により手書きモード用スイッチ３０２が物理的に押しつぶされて、手書きモード用の回転角度に達するとＯＮ状態となる。また、ヒンジ部１０３は、各スイッチを押し潰す剛性を持つ部材（例えば、金属製）からなる通常モード用突起部３０３と手書きモード用突起部３０４を有する。
【００２５】
ここで、図１に示すように表示部１０２の表示面がｘｙ平面からｙ軸方向を回転軸にｙｚ平面の方向（即ち矢印Ｂ方向）に回転するとき、図１の表示部１０２の位置からの回転した角度をθとする。表示部１０２をビデオカメラ本体１０１から最初に開いた状態をθ＝０°としたとき、通常モードにおいて表示画像を反転させる角度を閾値α、手書きモードにおいて表示画像を反転させる角度を閾値βで表すものとする。このとき、通常モード用突起部３０３はα≦θ≦１８０°の範囲で通常モード用スイッチ３０１を押しつぶす。また、手書きモード用突起部３０４はβ≦θ≦１８０°の範囲で手書きモード用スイッチ３０２を押しつぶす構造となっている。なお、回転角度の起点は上記に限らず、手書きモードの反転表示を通常モードにおける反転表示より先に発生させる角度をとればよく、例えばビデオカメラ１００の底面に垂直な平面と表示部１０２の表示面のなす角度を用いてもよい。
【００２６】
ビデオカメラの表示部１０２を角度α回転したときの状態を図４（ａ）、角度β回転したときの状態を図４（ｂ）にそれぞれ示す。後述するように、表示面の角度をより手書き入力のし易い角度にするため、手書きモードにおいて表示画像を反転させる回転角度βを、通常モードにおいて表示画像を反転させる回転角度αより小さい値に設定している。
【００２７】
また、図５は実施形態１の第２回転検出スイッチ２０７および第１回転検出スイッチ２０８の各スイッチ部の回路を示し、上述の所定の回転角度でスイッチを押しつぶすとスイッチがＯＮ、つまりスイッチ端子間電圧がＶｏ＝０（Ｖ）となる。他方、各スイッチが押しつぶされていない場合即ちスイッチがＯＦＦのときは、スイッチ端子間電圧がＶｏ≒Ｖ（Ｖ）となる。制御部２０５は、スイッチ端子間電圧を参照してビデオ信号処理部２０４を介して表示制御部２０６に反転等の表示の切り替えを行わせる。
【００２８】
さらに通常モード用スイッチ３０１と手書きモード用スイッチ３０２の２種類のスイッチを利用する場合の各スイッチと表示部１０２の角度の関係を図６に示す。ここでは図３の説明と同様に、通常モードにおいて表示画像が切り替わるための回転角度が閾値α、手書きモードにおいて表示画像が切り替わるための回転角度が閾値βである。図６の表は各スイッチを押すための通常モード用突起部３０３と手書きモード用突起部３０４がそれぞれの回転角度となった場合の通常モード用スイッチ３０１と手書きモード用スイッチ３０２の各状態を示す。通常モード用スイッチ３０１は、回転角度α以上となる場合にＯＮ状態となり、手書きモード用スイッチ３０２は回転角度β以上となるとＯＮ状態となる。制御部２０５は各モード毎に各スイッチがＯＮ状態となったときは表示部１０２に表示する画像の反転処理を行う。
【００２９】
モード切替スイッチ１０６によって通常モードと手書きモードのいずれかが選択されると、通常モードに対する検出角度はα、手書きモードに対する検出角度はβが設定される。なお、αとβは、図４に示したようにα＞βの関係を満たすものとする。制御部２０５は、通常モードが選択されたときはθ＞αを満たすときに表示部１０２に表示される画像を反転処理し、手書きモードが選択されたときはθ＞βを満たすときに表示部１０２に表示される画像を反転処理する。これにより、右利きのユーザが表示部１０２を使い易い角度に傾けたときに、反転処理した画像を表示させることによって表示部１０２に対する手書き入力が容易になる。換言すれば、手書きモードと通常モードとで反転処理させる回転角度を異ならせることで、表示部１０２を回転させたときに使い易い角度で反転処理された画像が表示され、手書き入力が容易になる。さらに平らな面にビデオカメラ１００を設置する場合において手書きが容易に行えるようになることは明らかであろう。
【００３０】
なお、本実施形態では、２種類の回転検出スイッチ２０７、２０８のオン／オフにより表示部１０２が閾値で定める回転角度となったことを検出したが、逐次検出される表示部１０２の回転位置を閾値と比較し、回転角度が閾値に達したか否かを判定しても良い。また、回転角度の閾値βはビデオカメラ１００に予め設定された固定値であっても、ユーザがタッチパネル２０９等の操作を通じて設定可能な設定値であってもよい。ユーザが設定値として閾値βを設定可能な場合、ユーザの使用環境や好みに応じて表示画像を反転させる回転角度を調整できるため、より使い勝手が向上する利点がある。
【００３１】
（３  表示画像の反転処理に係る動作）
次に、図７を参照して、表示部１０２の回転角度に基づく表示画像の反転処理の一連の動作を説明する。
【００３２】
なお、ビデオカメラ１００は、例えば表示部１０２が開かれている状態で、記録媒体２０３に記録されている画像一覧からユーザにより選択された画像を表示部１０２に表示している状況であるとする。図７の処理は、画像を表示部１０２に表示中に、ユーザが表示部１０２を回転させると開始され、制御部２０５がＲＯＭに記憶されたプログラムをＲＡＭの作業用領域に展開し、実行することにより実現される。
【００３３】
Ｓ８０１において制御部２０５は、モード切替スイッチ１０６の状態を参照して、手書きモードが設定されているか否かを判定する。制御部２０５は、設定されているモードが手書きモードである場合は処理をＳ８０２に進め、手書きモードではない場合即ち通常モードである場合は処理をＳ８０６に進める。
【００３４】
Ｓ８０２において制御部２０５は、表示部１０２の回転角度θが閾値β以上かを判定する。具体的には、制御部２０５は第１回転検出スイッチ２０８の端子間電圧を参照して、該電圧がＯＮ状態であるときは表示部１０２の回転角度θが閾値β以上であると判定して処理をＳ８０３に進める。一方、制御部２０５は端子間電圧がＯＦＦを示す場合は表示部１０２の回転角度θはβより小さいと判定して処理をＳ８０４に進める。
【００３５】
Ｓ８０３において制御部２０５は、表示制御部２０６を介して表示部１０２に反転処理を行った画像を表示させる。一方、Ｓ８０４において制御部２０５は、回転角度θが画像の反転に必要な角度に達していないため、反転処理を行わない画像を表示部１０２に表示させる。
【００３６】
Ｓ８０５において制御部２０５は、ビデオカメラ１００が電源ＯＦＦとなるか否かを判定し、電源ＯＮのままであれば同様の処理を繰り返すために再び処理をＳ８０１に戻してモード切替スイッチ１０６の状態を参照する。電源ＯＦＦとなる場合、制御部２０５は本処理に係る一連の処理を終了する。
【００３７】
一方、Ｓ８０１において手書きモードではない、即ち通常モードであると判定された場合、Ｓ８０６において制御部２０５は、回転角度θが閾値α以上かを判定する。制御部２０５は第２回転検出スイッチ２０７の端子間電圧を参照して、該端子間電圧がＯＮ状態である場合、回転角度θが閾値α以上であると判定して処理をＳ８０７に進め、満たさない場合は処理をＳ８０８に進める。
【００３８】
Ｓ８０７において制御部２０５は、回転角度θが閾値α以上であるため、表示部１０２が対面撮影を行うために回転されたものと判定し、表示部１０２に反転処理を行った画像を表示させる。制御部２０５は、表示部１０２に対する画像の表示が完了すると処理をＳ８０５に進める。
【００３９】
Ｓ８０８において制御部２０５は、画像を反転する必要がないため、反転処理を行わずに表示部１０２に画像を表示する。制御部２０５は表示を完了すると処理をＳ８０５に進める。
【００４０】
なお、本実施形態では、表示部１０２の回転軸が、ビデオカメラ本体１０１と表示部１０２の接続部分であるヒンジ部１０３を通過する軸であって光軸と垂直となる軸であることを前提に説明を行った。しかし、回転軸はこれに限らず、表示部１０２が対面撮影および通常撮影を行うことができるように回転すれば、他の回転軸、例えば上記の回転軸と平行な軸を回転軸とするものであってもよい。
【００４１】
以上説明したように本実施形態では、手書きモードと通常モードとで表示する画像やその他情報を反転させる回転角度を異ならせるようにした。これにより、ビデオカメラ本体１０１に対して回転可能な表示部１０２に、手書き入力のために画像やその他情報を適切に表示することが可能になる。つまり、手書きモードにおいて表示部１０２がユーザの使い勝手の良い角度βまで回転したときに表示部に表示する画像を反転処理することで、表示部１０２への手書き入力が容易になる。本実施形態によれば、ビデオカメラ１００を平らな面に設置するような場合であっても、表示部１０２の表示面が対面撮影を行う場合の回転角度と異なる回転角度で反転処理がなされるため、表示部１０２に対する入力が容易になる。
【００４２】
（実施形態２）
次に実施形態２について説明する。実施形態２では、実施形態１のように２種類のスイッチを用いることなく１つのセンサを用いて表示画像の反転処理の制御を行う。本実施形態の表示画像の反転処理の制御は、実施形態１における第２回転検出スイッチ２０７および第１回転検出スイッチ２０８に代えて、表示部１０２の回転に伴う磁界の変化を検出して電流を発生するホール素子９０１と磁石９０２を用いる。その他の構成は実施形態１と同一であるため、同一の構成については同一の符号を付して重複する説明は省略し、相違点について重点的に説明する。
【００４３】
図８は、実施形態２に係るビデオカメラ８００の外観を示している。例えばホール素子９０１はビデオカメラ本体１０１の上側の位置に配置され、磁石９０２は表示部１０２に配置され表示部１０２を１８０度回転させたときにホール素子９０１と近接するように配置されている。
【００４４】
図９は、本実施形態のビデオカメラ８００の構成を示し、回転検出スイッチに代えてホール素子９０１と磁石９０２が搭載される。磁石９０２の発する磁力はホール素子９０１によってその強度が測定され、測定結果は所定の方式で制御部２０５に出力される。ホール素子９０１はビデオカメラ本体１０１に固定され、磁石９０２は表示部１０２に取り付けられた構成であるため、制御部２０５はホール素子９０１が磁石９０２から受ける磁力の変化により表示部１０２の回転位置を判定できる。
【００４５】
図１０は、図８の表示部１０２を回転させたときの回転角度θとホール素子９０１で検出した磁力の関係を概念的に示すグラフである。横軸はホール素子９０１で検出した磁力、縦軸は回転角θを表し、表示部１０２を回転させてホール素子９０１と磁石９０２との距離が近くなるほどホール素子９０１は、強い磁力を検出することを表している。本実施形態の例では、表示部１０２を１８０度回転させたときに磁石９０２が近接して検出する磁力がピークとなる。なおグラフは単純化のためにホール素子９０１で検出する磁力と回転角度の関係が線形の場合を例示したが、磁石９０２が表示部１０２の回転に対してホール素子９０１に近づくにつれて検出結果が大きくなる関係にあればこれに限らない。ホール素子９０１は予め定められた以上の磁力を検出すると、その結果を制御部２０５に通知し制御部２０５は検出結果に応じた制御を行う。即ち、表示部１０２が回転して磁力がＢとなる回転角度θを第一の角度（β）とし、さらに表示部１０２が回転して磁力Ａになるときの回転角度θを第二の角度（α）とする。このような構成にすることで、制御部２０５は、ホール素子９０１の出力に応じて通常モードに対する反転処理を閾値αで行い、一方の手書きモードに対する反転処理を閾値βで行うことができる。なお、本実施形態の表示画像の反転処理は実施形態１と同様のものとなるため、説明は省略する。
【００４６】
以上説明したように、本実施形態では、磁力から回転角度を異ならせた反転処理に用いる各回転角度を検出することで、表示部１０２への手書き入力を容易にするだけでなく、２つの機械的なスイッチを使わずにビデオカメラ１００を構成することができる。さらに機械的なスイッチを用いないことでヒンジ部１０３の構造を単純化することができる。
【００４７】
（実施形態３）
次に実施形態３について説明する。実施形態３におけるビデオカメラ１１００は、実施形態１の構成に加えてビデオカメラ本体１０１部分の底面４隅に支持部（突起部１１０１）を付加してビデオカメラ１１００を支持するものである。その他の構成は実施形態１と同一であるため、同一の構成については同一の符号を付して重複する説明は省略し相違点について重点的に説明する。
【００４８】
実施形態３におけるビデオカメラ１１００の構成について説明する。実施形態１のビデオカメラ１００の設置場所が机のような平坦な面ではなく、段差や起伏がある場合、ビデオカメラ１００の姿勢が安定しないことが想定される。このため、本実施形態では図１１に示すように実施形態１のビデオカメラ本体１０１部分の底面４隅に突起部１１０１を設けている。突起部１１０１は、ビデオカメラ１１００を段差や起伏のある面に置いたときに水平かつ安定した姿勢になるような高さに設定されている。即ち、ビデオカメラ１１００段差や起伏のある面にビデオカメラ１１００を置く場合、突起部１１０１によって安定した姿勢となり、ユーザは表示部１０２を傾けた場合であっても安定的に手書き入力を行うことができる。
【００４９】
以上説明したように本実施形態では、ビデオカメラ１１００の底面に突起部１１０１を設けることで、ビデオカメラ本体がより安定した姿勢で支持されるので、ユーザは容易に手書き入力を行うことができる。即ち、本実施形態では、実施形態１において説明した、表示部１０２の回転角度に応じた反転処理の制御に加えて、ビデオカメラ本体を安定した状態で設置することができるので、表示部１０２への手書き入力をより一層容易化できる。
【００５０】
（実施形態４）
次に実施形態４について説明する。実施形態４では、左利きのユーザに限定して実施形態１に係る発明を有効にさせるものである。本実施形態のビデオカメラは、左利き用スイッチ１２０１を有する以外の構成は実施形態１と同一である。このため、同一の構成については同一の符号を付して重複する説明は省略し、相違点について重点的に説明する。
【００５１】
本実施形態の説明ではこれまでデジタルカメラのユーザは右利きであるという前提で説明してきた。しかし、左利きのユーザは、手がビデオカメラ本体１０１に当たって手書き入力し難いという問題が発生しないため、表示部１０２を対面撮影の状態にしなくても平らな面に置いて安定させた状態で手書き入力ができる。このため、モード切替スイッチ１０６によって手書きモードを設定した際に、常に実施形態１に示した表示画像の反転処理が行われると、左利きのユーザにとって不便が発生し得る。
【００５２】
これに対して本実施形態では、左利き用スイッチ１２０１を備えることにより、左利きのユーザによる使用を明示していない場合に限って実施形態１に示した表示部１０２に対する表示画像の反転処理を行うようにする。換言すれば、左利き用スイッチ１２０１が設定された場合、手書きモードが設定された場合であっても実施形態１の表示画像の反転処理を禁止し、通常モードで制御する。
【００５３】
図１２は実施形態４に係るビデオカメラ１２００の外観を示している。ビデオカメラ１２００にはユーザが左利きであるかを設定するための左利き用スイッチ１２０１が備えられている。また、ビデオカメラ１２００の機能構成例を示すブロック図（図１３）では左利き用スイッチ１２０１が制御部２０５と接続されている様子を示している。制御部２０５は左利き用スイッチ１２０１の設定状態に応じて第１回転検出スイッチ２０８の回転角度の検出を行わないか無視する。
【００５４】
図１４は実施形態４に係る表示画像の反転処理の一連の動作を示すフローチャートである。実施形態１におけるフローチャートと同一のステップには同一の番号を付し、説明は省略する。本処理の動作では、手書きモードかどうかの判定後に左利き用スイッチ１２０１が押されたかどうかを判定が追加されている。
【００５５】
Ｓ１４０１において制御部２０５は、左利き用スイッチ１２０１の状態を取得して、設定が右利き用であるかを判定する。制御部２０５は、設定が右利き用であると判定した場合、実施形態１と同様に回転角度α＞βとなる回転角度βにおいて画像表示を反転処理するため、処理をＳ８０２に進める。一方、設定が右利き用でない（即ち左利き用）であると判定した場合、制御部２０５は、回転角度βによる反転処理を行わずに通常モードに対応する回転角度αに応じた反転処理を行わせるため、処理をＳ８０６に進める。以降の処理は実施形態１と共通である。これにより左利きのユーザは手書きモードにおいて角度βで表示部１０２が反転表示されることなく手書き入力ができる。
【００５６】
以上説明したように本実施形態では、新たに利き手に対するモードを設けることで、表示部１０２への手書き入力が容易になることに加えて、手書きモードにおいて表示画像の反転処理の必要なユーザに対してのみ反転処理を実行することができる。他方、左利きのユーザにとっては表示部１０２が対面状態になる前に表示画像が反転しないため、指や電子ペン描画による手書き入力が容易になる。
【００５７】
上述した実施形態においては、本発明をビデオカメラなどの撮像装置に適用した場合を例にして説明したが、これに限られず、表示部が回転可能に設けられ、表示部の表示面に対して手書き入力が可能なモードに切り替え可能な機器であれば適用可能である。
【００５８】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５９】
１００…ビデオカメラ、１０１…ビデオカメラ本体、１０２…表示部、１０３…ヒンジ部、１０４…光学系、１０５…操作部、１０６…モード切替スイッチ、２０５…制御部、２０７…第２回転検出スイッチ、２０８…第１回転検出スイッチ
【図１】
2015204568.tif 000003
【図２】
2015204568.tif 000004
【図３】
2015204568.tif 000005
【図４】
2015204568.tif 000006
【図５】
2015204568.tif 000007
【図６】
2015204568.tif 000008
【図７】
2015204568.tif 000009
【図８】
2015204568.tif 000010
【図９】
2015204568.tif 000011
【図１０】
2015204568.tif 000012
【図１１】
2015204568.tif 000013
【図１２】
2015204568.tif 000014
【図１３】
2015204568.tif 000015
【図１４】
2015204568.tif 000016